(57)【要約】  太陽光発電装置を設置する地域の不動産情報、地籍情報、衛星写真、ドローン映像、各種センシング情報を用いてシミュレーションを行うことにより、太陽光発電装置の設置可能面積をシミュレーションする太陽光発電装置のシミュレーションシステムを提供する。【選択図】  図１
2021512399.tif 000002
【特許請求の範囲】
【請求項１】
太陽光発電装置を設置する地域の地番を入力されるステップと、
前記入力された地番の不動産情報、地籍情報及び衛星写真を収集するステップと、
収集された不動産情報、地籍情報及び衛星写真を用いて、前記地番の土地用途、建築物の有無を判断するステップと、
前記判断結果に応じて、前記地番における太陽光発電装置の設置可能面積を算出するステップと、を含む
ことを特徴とする太陽光発電装置のシミュレーション方法。
【請求項２】
前記収集ステップは、
前記収集された不動産情報及び地籍情報を用いて、前記衛星写真上の前記地番に該当する領域の境界を区分して衛星写真を加工するステップをさらに含む
請求項１記載の太陽発電装置のシミュレーション方法。
【請求項３】
前記算出ステップでは、
前記地番に建築物が存在しない場合、
前記地番の面積、土地用途、傾斜度、地理的環境条件を用いて太陽光発電装置の設置可能面積を算出し、
前記地理的環境条件は、影、降水量情報、日照量情報、微細粉塵情報、日照時間情報、気温情報、気候情報及び風量情報のうち少なくとも一つを含む
請求項１記載の太陽光発電装置のシミュレーション方法。
【請求項４】
前記算出ステップでは、
前記地番に建築物が存在する場合、
前記地番の建ぺい率を用いて、建築物以外の空間及び建築物の屋根における太陽光発電装置の設置可能面積を算出する
請求項１記載の太陽光発電装置のシミュレーション方法。
【請求項５】
地域別、建物用途別、建物形態別の屋根の形状と設置妨害要素が既に格納されている屋根データモジュールをさらに含み、
前記算出ステップでは、
前記屋根データモジュールの情報を用いて、地番に該当する建築物の屋根の形状、面積、妨害要素の大きさを算出することにより、太陽光発電装置の設置可能面積を算出する
請求項４記載の太陽光発電装置のシミュレーション方法。
【請求項６】
前記収集ステップでは、
前記入力された地番周辺のストリートビューをさらに収集し、
前記算出ステップでは、
前記収集された衛星写真及びストリートビューを用いて建物の屋根のイメージを抽出し、イメージ蓄積及び抽出された屋根のイメージを用いて屋根の形状、面積、妨害要素の大きさを算出することにより、太陽光発電装置の設置可能面積を算出する
請求項４記載の太陽光発電装置のシミュレーション方法。
【請求項７】
太陽光発電装置を設置する地域の地番を入力される入力部と、
前記入力部を介して入力された地番の不動産情報、地籍情報及び衛星写真を収集する収集部と、
前記収集部を介して収集された情報を用いて、前記地番の土地用途、建築物の有無を判断する判断部と、
前記判断部の判断結果に応じて、前記地番における太陽光発電装置の設置可能面積を算出する算出部と、を含む
ことを特徴とする太陽光発電装置のシミュレーションシステム。
【請求項８】
前記収集部は、
前記収集された不動産情報及び地籍情報を用いて、前記衛星写真上の、入力された地番に該当する領域の境界を区分して衛星写真を加工する
請求項７記載の太陽光発電装置のシミュレーションシステム。
【請求項９】
前記算出部は、
前記判断部の判断結果、前記地番に建築物が存在しない場合、前記入力された地番の面積、土地用途、傾斜度、地理的環境条件を用いて太陽光発電装置の設置可能面積を算出し、
前記地理的環境条件は、影、降水量情報、日照量情報、微細粉塵情報、日照時間情報、気温情報、気候情報及び風量情報のうち少なくとも一つを含む
請求項７記載の太陽光発電装置のシミュレーションシステム。
【請求項１０】
前記算出部は、
前記地番に建築物に存在する場合、
前記地番の建ぺい率を用いて、建築物以外の空間及び建築物の屋根における太陽光発電装置の設置可能面積を算出する
請求項７記載の太陽光発電装置のシミュレーションシステム。
【請求項１１】
地域別、建物用途別、建物形態別の屋根の形状と設置妨害要素が既に格納されている屋根データモジュールをさらに含み、
前記算出部は、
前記屋根データモジュールの情報を用いて、地番に該当する建築物の屋根の形状、面積、妨害要素の大きさを算出することにより、太陽光発電装置の設置可能面積を算出する
請求項１０記載の太陽光発電装置のシミュレーションシステム。
【請求項１２】
前記収集部は、
前記入力部を介して入力された地番周辺のストリートビューを収集し、
前記算出部は、
前記収集部を介して収集された衛星写真及びストリートビューを用いて建物の屋根のイメージを抽出し、イメージ蓄積及び抽出された屋根のイメージを用いて屋根の形状、面積、妨害要素の大きさを算出することにより、太陽光発電装置の設置可能面積を算出する
請求項１０記載の太陽光発電装置のシミュレーションシステム。
【請求項１３】
ハードウェアであるコンピュータと結合されて、請求項１に記載の方法を実行するために媒体に格納された
ことを特徴とする太陽光発電装置のシミュレーションプログラム。
【発明の詳細な説明】
【技術分野】
【０００１】
本発明は、太陽光発電装置のシミュレーション方法、システム及びプログラムに係り、さらに詳しくは、太陽光発電装置の設置場所を分析してシミュレーションする太陽光発電装置のシミュレーション方法、システム及びプログラムに関する。
【背景技術】
【０００２】
近年、太陽光発電装置の発電効率の向上に伴い、会社、工場、農地、個人の建物などに太陽光発電装置を設置する場合が多くなっている。
【０００３】
しかしながら、太陽光発電装置を設置場所の条件を考慮せずに設置する場合は、実際に太陽光発電装置を設置した後、予想とは異なり、効率が低下する可能性があるという欠点がある。
【０００４】
また、建物内に設置可能な面積を測定することも容易ではなく、その他様々な環境的な要素を適用してシミュレーションすることが実質的に難しいという問題がある。
【０００５】
本発明の背景となる技術は、特許文献１などに開示されているが、上述した問題点の根本的な解決策は、提示されていないのが実情である。
【先行技術文献】
【特許文献】
【０００６】
【特許文献１】韓国公開特許第１０−２０１４−００７１５７６号公報
【発明の概要】
【発明が解決しようとする課題】
【０００７】
本発明は、上記問題を解決するためになされたものであり、太陽光発電装置を設置する地域の不動産情報、地籍情報及び衛星写真を用いて設置可能面積を算出する太陽光発電装置のシミュレーション方法、システム及びプログラムを提供することができる。
【０００８】
本発明が解決しようとする課題は、以上で言及した課題に制限されず、言及していない他の課題は、以下の記載から通常の技術者に明確に理解できるであろう。
【課題を解決するための手段】
【０００９】
上述した課題を解決するための本発明の一実施形態による太陽光発電装置のシミュレーション方法は、太陽光発電装置を設置する地域の地番を入力されるステップと、前記入力された地番の不動産情報、地籍情報及び衛星写真を収集するステップと、収集された不動産情報、地籍情報及び衛星写真を用いて、前記地番の土地用途、建築物の有無を判断するステップと、前記判断結果に応じて、前記地番における太陽光発電装置の設置可能面積を算出するステップと、を含む。
【００１０】
また、前記収集ステップは、前記収集された不動産情報及び地籍情報を用いて、前記衛星写真上の前記地番に該当する領域の境界を区分して衛星写真を加工するステップをさらに含み得る。
【００１１】
また、前記算出ステップでは、前記地番に建築物が存在しない場合、前記地番の面積、土地用途、傾斜度、地理的環境条件を用いて太陽光発電装置の設置可能面積を算出し、前記地理的環境条件は、影、降水量情報、日照量情報、微細粉塵情報、日照時間情報、気温情報、気候情報及び風量情報のうち少なくとも一つを含み得る。
【００１２】
また、前記算出ステップでは、前記地番に建築物が存在する場合、前記地番の建ぺい率を用いて、建築物以外の空間及び建築物の屋根における太陽光発電装置の設置可能面積を算出することができる。
【００１３】
また、地域別、建物用途別、建物形態別の屋根の形状と設置妨害要素が既に格納されている屋根データモジュールをさらに含み、前記算出ステップでは、前記屋根データモジュールの情報を用いて、地番に該当する建築物の屋根の形状、面積、妨害要素の大きさを算出することにより、太陽光発電装置の設置可能面積を算出することができる。
【００１４】
また、前記収集ステップでは、前記入力された地番周辺のストリートビューをさらに収集し、前記算出ステップでは、前記収集された衛星写真及びストリートビューを用いて建物の屋根のイメージを抽出し、イメージ蓄積及び抽出された屋根のイメージを用いて屋根の形状、面積、妨害要素の大きさを算出することにより、太陽光発電装置の設置可能面積を算出することができる。
【００１５】
上述した課題を解決するための本発明の一実施形態による太陽光発電装置のシミュレーションシステムは、太陽光発電装置を設置する地域の地番を入力される入力部と、前記入力部を介して入力された地番の不動産情報、地籍情報及び衛星写真を収集する収集部と、前記収集部を介して収集された情報を用いて、前記地番の土地用途、建築物の有無を判断する判断部と、前記判断部の判断結果に応じて、前記地番における太陽光発電装置の設置可能面積を算出する算出部と、を含む。
【００１６】
また、前記収集部は、前記収集された不動産情報及び地籍情報を用いて、前記衛星写真上の、入力された地番に該当する領域の境界を区分して衛星写真を加工することができる。
【００１７】
また、前記算出部は、前記判断部の判断結果、前記地番に建築物が存在しない場合、前記入力された地番の面積、土地用途、傾斜度、地理的環境条件を用いて太陽光発電装置の設置可能面積を算出し、前記地理的環境条件は、影、降水量情報、日照量情報、微細粉塵情報、日照時間情報、気温情報、気候情報及び風量情報のうち少なくとも一つを含む。
【００１８】
また、前記算出部は、前記地番に建築物に存在する場合、前記地番の建ぺい率を用いて、建築物以外の空間及び建築物の屋根における太陽光発電装置の設置可能面積を算出することができる。
【００１９】
また、地域別、建物用途別、建物形態別の屋根の形状と設置妨害要素が既に格納されている屋根データモジュールをさらに含み、前記算出部は、前記屋根データモジュールの情報を用いて、地番に該当する建築物の屋根の形状、面積、妨害要素の大きさを算出することにより、太陽光発電装置の設置可能面積を算出することができる。
【００２０】
また、前記収集部は、前記入力部を介して入力された地番周辺のストリートビューを収集し、前記算出部は、前記収集部を介して収集された衛星写真及びストリートビューを用いて建物の屋根のイメージを抽出し、イメージ蓄積及び抽出された屋根のイメージを用いて屋根の形状、面積、妨害要素の大きさを算出することにより、太陽光発電装置の設置可能面積を算出することができる。
【００２１】
この他にも、本発明を実現するための他の方法、他のシステム及び前記方法を実行するためのコンピュータプログラムを記録するコンピュータ読み取り可能な記録媒体をさらに提供することができる。
【発明の効果】
【００２２】
上記のような本発明によれば、太陽光発電装置を設置する地域の不動産情報、地籍情報及び衛星写真を用いて設置可能面積を算出することにより、正確なシミュレーション結果を提供する効果がある。
【００２３】
また、本発明は、太陽光発電装置を設置する地域に建築物が存在する場合、建ぺい率と屋根データを用いて、建築物以外の空間及び建築物の屋根における太陽光発電装置の設置可能面積を算出して提供する効果がある。
【００２４】
本発明の効果は、以上で言及した効果に制限されず、言及していない他の効果は、以下の記載から通常の技術者に明確に理解できるであろう。
【図面の簡単な説明】
【００２５】
【図１】本発明の実施形態による太陽光発電装置のシミュレーションシステムのブロック図である。
【図２】本発明の実施形態による太陽光発電装置のシミュレーション方法のフローチャートである。
【図３】本発明の実施形態による地番に建築物が存在しない場合を示す例示図である。
【図４】本発明の実施形態による地番に建築物が存在する場合を示す例示図である。
【図５】実際の衛星写真を用いて、地番に建築物が存在する場合を示す例示図である。
【図６】実際の衛星写真を用いて、地番に建築物が存在する場合を示す例示図である。
【図７】本発明の実施形態によるドローン映像を利用した太陽光発電装置のシミュレーションシステムを説明するための図である。
【図８】本発明の実施形態による太陽光発電装置のシミュレーション結果を表示する方法を例示する図である。
【図９】本発明の実施形態による太陽光発電装置のシミュレーション結果を表示する方法を例示する図である。
【図１０】本発明の実施形態による太陽光発電装置のシミュレーション結果を表示する方法を例示する図である。
【図１１】本発明の一実施形態による太陽光発電装置のシミュレータの構成を示す図である。
【図１２】本発明の一実施形態による屋根の外観を示す図である。
【図１３】本発明の一実施形態による建物の外観を示す図である。
【図１４】本発明の一実施形態により、太陽光パネルが取り付けられたプレビュー映像を示す図である。
【図１５】本発明が一実施形態による太陽光発電シミュレーション方法の過程を示す図である。
【発明を実施するための形態】
【００２６】
本発明の利点及び特徴、そしてそれらを達成する方法は、添付の図面と共に詳細に後述している各実施形態を参照すれば明確になるであろう。しかし、本発明は、以下で開示する各実施形態に限定されるものではなく、互いに異なる多様な形態に具現可能である。但し、本実施形態は、本発明の開示を完全なものにし、本発明の属する技術分野における通常の知識を有する者に発明の範疇を完全に知らせるために提供されるものであり、本発明は、請求項の範疇によって定義されるものに過ぎない。
【００２７】
本明細書で使用している用語は、実施形態を説明するためのものであり、本発明を制限しようとするものではない。本明細書において、単数形は、文句において特に言及しない限り、複数形も含む。明細書において使用される「含む（ｃｏｍｐｒｉｓｅｓおよび／またはｃｏｍｐｒｉｓｉｎｇ）」は、言及された構成要素の他に、一つ以上の他の構成要素の存在または追加を排除しない。明細書全体に亘って同一の符号は同一の構成要素を指し、「および／または」は、言及された構成要素のそれぞれ、および一つ以上の全ての組み合わせを含む。たとえ「第１」、「第２」などが様々な構成要素を述べるために用いられるが、これらの構成要素は、このような用語により制限されないことは言うまでもない。このような用語は、単に一つの構成要素を他の構成要素と区別するために使用されるものである。よって、以下において言及される第１の構成要素は、本発明の技術的思想内で第２の構成要素であり得ることは言うまでもない。
【００２８】
他に定義がなければ、本明細書において使用される全ての用語（技術および科学的用語を含む）は、本発明の属する技術の分野における通常の技術者が共通的に理解可能な意味として使用され得る。また、一般的に使用される辞書に定義されている用語は、特に明白に定義されていない限り、理想的または過度に解釈されない。
【００２９】
以下、添付図面を参照して、本発明の実施形態について詳細に説明する。
【００３０】
説明に先立って、本明細書で使用する用語の意味を簡単に説明する。しかしながら用語の説明は、本明細書の理解を助けるためのものなので、明示的に、本発明を限定する事項として記載していない場合に、本発明の技術的思想を限定する意味で使用することがないことに注意しなければならない。
【００３１】
ストリートビュー（Ｓｔｒｅｅｔ  Ｖｉｅｗ）：路上情報サービスであって、Ｇｏｏｇｌｅ、Ｎａｖｅｒ、Ｄａｕｍなどの企業が定期的に路上（Ｓｔｒｅｅｔ）を撮影して、衛星写真と一緒に地図の実際の姿を見ることができるよう写真を提供するサービスを意味する。
【００３２】
地番：住所、道路名住所、郵便番号などの各国で実施される住所体系を意味する。
【００３３】
建ぺい率：敷地面積に対する建築面積の割合を意味する。
【００３４】
図１は、本発明の実施形態による太陽光発電装置のシミュレーションシステムのブロック図である。
【００３５】
図１を参照して、本発明の実施形態による太陽光発電装置のシミュレーションシステム１０について説明する。
【００３６】
太陽光発電装置のシミュレータ１００は、入力部１１０、収集部１１５、判断部１２０、算出部１２５及び屋根データモジュール１３０を含む。
【００３７】
入力部１１０は、太陽光発電装置を設置する地域の地番を入力される。
【００３８】
好ましくは、ユーザデバイス６００を介して提供する太陽光発電装置のシミュレーションプログラムを用いて地番を入力する。
【００３９】
収集部１１５は、入力部１１０を介して入力された地番の不動産情報、地籍情報及び衛星写真を収集する。
【００４０】
好ましくは、Ｇｏｏｇｌｅ地図、Ｎａｖｅｒ地図、Ｄａｕｍ地図などの地図提供サービス、ならびに外部不動産ＤＢおよび衛星写真ＤＢから情報をロードする。
【００４１】
このとき、収集部１１５は、入力部１１０を介して入力された地番周辺の衛星写真を収集し、不動産情報及び地籍情報を用いて、衛星写真上の地番に該当する領域の境界を区分して衛星写真を加工する。
【００４２】
衛星写真は、周囲の他の建物、地域を含んでいるため、地番以外の地域と区分できるようになっている。
【００４３】
また、収集部１１５は、地番の地理的環境条件についての情報を収集し、ここで、地理的環境条件とは、影、降水量情報、日照量情報、微細粉塵情報、日照時間情報、気温情報及び風量情報を意味し、太陽光発電装置を設置する際、太陽光の発電効率に影響を与える可能性がある要素を含むことが望ましい。
【００４４】
また、収集部１１５は、地番の不動産情報を収集し、不動産情報は、地番の面積、建築物の有無、建築物の面積、建ぺい率、地上駐車場の大きさなどに該当できる。
【００４５】
判断部１２０は、収集部１１５を介して収集された情報に基づいて地番の土地用途、建築物の有無を判断する。
【００４６】
このとき、土地の用途は、例えば、農地（田、畑、果樹園）、林野、宅地（住宅地、商業地、工業地）などに分類可能であり、不動産情報から土地の用途を判断することもでき、衛星写真を用いてプログラムにより土地の用途を判断することもできる。
【００４７】
算出部１２５は、判断部１２０の判断結果に応じて、地番における太陽光発電装置の設置可能面積を算出する。
【００４８】
このとき、算出部１２５は、判断部１２０による判断の結果、入力された地番に建築物が存在しない場合、入力された地番の面積、土地用途、傾斜度、地理的環境条件を用いて太陽光発電装置の設置可能面積を算出する。
【００４９】
このとき、周辺の建物、木などの要素により当該地番に影（日陰）が生じて、太陽光発電装置の効率が低下する可能性があるため、地理的環境条件に影による変数を追加して設置可能面積を算出することが望ましい。
【００５０】
そして、算出部１２５は、判断部１２０による判断の結果、入力された地番に建築物が存在する場合、地番の建ぺい率を用いて、建築物以外の空間及び建築物の屋根における太陽光発電装置の設置可能面積を算出する。
【００５１】
また、算出部１２５は、地域別、建物用途別、建物形態別の屋根の形状と設置妨害要素を用いて、建築物の屋根における太陽光発電装置の設置可能面積を算出し、この際、テンソルフロー（Ｇｏｏｇｌｅ  ＡＩ）を介して屋根の情報をロードすることもでき、それ自体に組み込まれているプログラムＤＢを介して屋根の情報を算出することもできる。
【００５２】
一例として、上記の外部情報を使用する代わりに、屋根データモジュール１３０をさらに含み得る。
【００５３】
屋根データモジュール１３０には、地域別、建物用途別、建物形態別の屋根の形状と設置妨害要素が既に格納されている。ここで、設置妨害要素とは、太陽光発電装置の屋根への設置を妨げる要素を意味し、例えば、室外機や水タンクなどの構造物が挙げられる。
【００５４】
算出部１２５は、屋根データモジュール１３０の情報を用いて、地番に該当する建築物の屋根の形状、面積、妨害要素の大きさを算出することにより、太陽光発電装置の設置可能面積を算出する。
【００５５】
他の例として、収集部１１５は、入力部１１０を介して入力された地番周辺のストリートビューを収集し、算出部１２５は、収集部１１５を介して収集された衛星写真及びストリートビューを用いて建物の屋根のイメージを抽出し、イメージ蓄積及び抽出された屋根のイメージを用いて屋根の形状、面積、妨害要素の大きさを算出することにより、太陽光発電装置の設置可能面積を算出する。
【００５６】
好ましくは、屋根の全面積から妨害要素の大きさを除いて、設置可能面積を算出する。
【００５７】
図２は、本発明の実施形態による太陽光発電装置のシミュレーション方法のフローチャートである。
【００５８】
図２を参照して、本発明の実施形態による太陽光発電装置のシミュレーション方法の手順について説明する。
【００５９】
入力部１１０は、太陽光発電装置を設置する地域の地番を入力される（ステップＳ５１０）。
【００６０】
次に、収集部１１５は、入力部１１０を介して入力された地番の不動産情報、地籍情報及び衛星写真を収集する（ステップＳ５２０）。
【００６１】
このとき、収集部１１５は、入力部１１０を介して入力された地番周辺の衛星写真を収集し、不動産情報及び地籍情報を用いて、衛星写真上の地番に該当する領域の境界を区分して衛星写真を加工するステップをさらに含み得る。
【００６２】
次に、判断部１２０は、収集部１１５を介して収集された不動産情報、地籍情報及び衛星写真を用いて、地番の土地用途、建築物の有無を判断する（ステップＳ５３０）。
【００６３】
次に、算出部１２５は、判断部１２０の判断結果に応じて、地番における太陽光発電装置の設置可能面積を算出する（ステップＳ５４０）。
【００６４】
このとき、ステップＳ５４０は、当該地番に建築物が存在しない場合と存在する場合とに分けられてもよい。
【００６５】
算出部１２５は、当該地番に建築物が存在しない場合、当該地番の面積、土地用途、傾斜度、地理的環境条件を用いて、太陽光発電装置の設置可能面積を算出する（ステップＳ５５０）。
【００６６】
このとき、地理的環境条件は、影、降水量情報、日照量情報、微細粉塵情報、日照時間情報、気温情報、気候情報及び風量情報のうち少なくとも一つを含む。
【００６７】
また、算出部１２５は、当該地番に建築物が存在する場合、当該地番の建ぺい率を用いて、建築物以外の空間及び建築物の屋根における太陽光発電装置の設置可能面積を算出する（ステップＳ５６０）。
【００６８】
具体的には、地域別、建物用途別、建物形態別の屋根の形状と設置妨害要素が既に格納されている屋根データモジュール１３０をさらに含み、算出部１２５は、屋根データモジュール１３０の情報を用いて、地番に該当する建築物の屋根の形状、面積、妨害要素の大きさを算出することにより、太陽光発電装置の設置可能面積を算出する。
【００６９】
他の例として、収集部１１５は、入力部１１０を介して入力された地番周辺のストリートビューを収集し、算出部１２５は、収集部１１５を介して収集された衛星写真及びストリートビューを用いて建物の屋根のイメージを抽出し、イメージ蓄積及び抽出された屋根のイメージを用いて屋根の形状、面積、妨害要素の大きさを算出することにより、太陽光発電装置の設置可能面積を算出する。
【００７０】
図３は、実際の衛星写真を用いて、地番に建築物が存在しない場合を示す例示図である。
【００７１】
図３を参照すると、入力部１１０を介して地番８１０を入力し、収集部１１５が当該地番の衛星写真を収集したことを例示している。
【００７２】
このとき、地番８１０には建築物が存在しないため、地番の面積、土地用途、傾斜度、地理的環境条件を用いて、太陽光発電装置の設置可能面積を算出する。
【００７３】
例えば、図３の衛星写真を参照すると、地番８１０には多くの木が存在するので、木陰や樹木の存在する領域を除いて、太陽光発電装置の設置可能面積を算出することが望ましい。
【００７４】
本発明の実施形態によるシミュレータ１００は、自然環境設定モードを提供することができる。
【００７５】
シミュレータ１００は、入力部１１０を介して、自然環境を維持したままシミュレーションを行うことを選択されると、樹木などの自然環境を維持したまま、太陽光発電装置の設置可能面積を算出する。
【００７６】
逆に、シミュレータ１００は、入力部１１０を介して、自然環境を無視したままシミュレーションを行うことを選択されると、当該位置に樹木などの自然環境がないと仮定して排除した上、太陽光発電装置の設置可能面積を算出する。
【００７７】
図４は、本発明の実施形態による地番に建築物が存在する場合を示す例示図である。
【００７８】
図４から、入力部１１０を介してＡ地域の地番を入力し、収集部１１５がＡ地域の情報を収集して表示することがわかる。
【００７９】
Ａ地域には建物Ｂ棟、建物Ｃ棟が存在し、建ぺい率が低い方であると言えるが、実際には駐車場が広く、公園、造形物が存在するため、実質的に太陽光発電装置を設置できる空間は、Ａ地域の全面積から駐車場、公園、造形物、道路の面積を除いた空間８０１、８０３であり、建物Ｂ棟と建物Ｃ棟の屋上であり得る。
【００８０】
本発明の実施形態によるシミュレータ１００は、図４に示す衛星写真において、公園、駐車場、造形物、道路を認識してフィルタリングできる機能を備えている。
【００８１】
したがって、シミュレータ１００は、衛星写真から、太陽光発電装置を設置することができないと判断される場所（面積）を除外して、設置可能な場所を介してシミュレーションを行うことができる。
【００８２】
図５及び図６は、実際の衛星写真を用いて、地番に建築物が存在する場合を示す例示図である。
【００８３】
図５及び図６は、Ｇｏｏｇｌｅ  Ｍａｐを用いて、特定の地域のコストコ（Ｃｏｓｔｃｏ）マーケットの衛星写真を例示している。
【００８４】
入力部１１０を介してコストコの地番を入力すると、収集部１１５が図５に示すようにコストコ周辺を含む衛星写真を収集し、不動産情報及び地籍情報を用いて、８２０領域のようにコストコの地番に該当する領域の境界を区分して衛星写真を加工する。
【００８５】
そして、算出部１２５は、加工された衛星写真及び当該地番の建ぺい率を用いて、建築物以外の空間及び建築物の屋根における太陽光発電装置の設置可能面積を算出する。
【００８６】
このとき、８２０領域内にはコストコと２つの建物があり、その他の地域はすべて駐車場となっているため、建ぺい率が低い方であるが、実質的に太陽光発電装置を設置できる場所は、コストコと残りの２つの建物の屋根であり得る。（駐車場には設置できない例を挙げているので、駐車場を利用して太陽光発電装置を設置する場合は例外とする。）
【００８７】
そして、図６は、コストコの屋根８２５の領域を拡大したものを例示している。
【００８８】
図６を参照すると、多数の妨害要素（室外機、水タンクなど）８３０が設置されているので、算出部１２５は、屋根の全面積から妨害要素の大きさを除いて、太陽光発電装置の設置可能面積を算出することが望ましい。
【００８９】
具体的には、本発明の実施形態によるシミュレータ１００は、衛星写真において設置妨害要素を認識し、これを考慮してシミュレーションを行い、太陽光発電装置の設置シミュレーションを行うことができる。
【００９０】
図７は、本発明の実施形態による無人５００映像を利用した太陽光発電装置のシミュレーションシステム１０を説明するための図であり、図８〜図１０は、本発明の実施形態による太陽光発電装置のシミュレーション結果を表示する方法を例示した図である。
【００９１】
図１〜図６では、地番の入力を受けて、これに基づいて不動産情報、地籍情報及び衛星写真を収集してシミュレーションを行うことについて説明しているが、図７〜図１０では、ドローン５００を用いてシミュレーションを行うことについて説明している。
【００９２】
したがって、本発明は、地番の入力を受けてシミュレーションを行うこともでき、ドローン５００を用いてシミュレーションを行うこともでき、両方の方法を用いてより正確に太陽光発電装置の設置シミュレーションを行うこともできる。
【００９３】
図７を参照すると、本発明の実施形態による太陽光発電装置のシミュレーションシステム１０は、ドローン５００、シミュレータ１００およびユーザデバイス６００を含む。
【００９４】
ドローン５００は、通信部１３５、撮影部およびセンシング部を含む。
【００９５】
シミュレータ１００は、通信部１３５、映像分析部１４０、地理的環境データベース１４５、ユーザ環境データベース１５０、シミュレーション部１５５および太陽光営業支援部１６０を含む。
【００９６】
ユーザデバイス６００は、通信部１３５およびディスプレイ部を含み、ドローン５００、シミュレータ１００およびユーザデバイス６００は、それぞれ制御部１７０を含み得る。
【００９７】
本発明の実施形態では、ドローン５００、シミュレータ１００およびユーザデバイス６００に含まれる各構成モジュールは、省略されるか、またはいずれか１つの構成モジュールに含まれて具現されてもよい。
【００９８】
また、一実施形態では、シミュレータ１００に含まれている１つ以上のモジュールは、ドローン５００またはユーザデバイス６００内で具現されてもよい。これについては後で説明する。
【００９９】
ドローン５００は、撮影機能を有する無人航空機、無人航空撮影機などを含む概念であり得る。ドローン５００は、別個のリモートコントローラまたはユーザデバイス６００により飛行及び撮影が制御され得る。
【０１００】
ドローン５００の通信部５１０は、無線通信を可能にするもので、外部デバイスまたは外部サーバとデータを送受信することができる。通信部５１０は、撮影部により撮影されたドローン５００の映像を外部デバイスまたは外部サーバに送信したり、外部デバイスまたは外部サーバから制御信号を受信したり、データを受信したりすることができる。
【０１０１】
ドローン５００の撮影部５２０は、カメラを含んで構成され、ドローン５００の飛行中に外部の映像を撮影することができる。本実施形態において、撮影部５２０は、太陽光発電装置が設置される建物と周辺部に対応する映像を撮影することができる。
【０１０２】
ドローン５００のセンシング部５３０は、ドローン５００の外部環境をセンシングできる１つ以上のセンサを含み得る。例えば、センシング部５３０は、ドローン５００の飛行高度をセンシングできる飛行高度測定センサ、現在の太陽の高度を測定できる太陽高度測定センサ、周辺要素との距離／高低などを測定できるレーザセンサや超音波センサのうち少なくとも一つを含み得る。
【０１０３】
ドローン５００は、ドローン５００の撮影部５２０によりドローン５００映像を撮影する間に、センシング部５３０によりドローン５００の外部環境をセンシングし、センシングされた結果を格納することができる。
【０１０４】
シミュレータ１００は、ドローン５００により撮影されたドローン５００映像と、太陽光発電装置を設置しようとする地域の環境条件と、ユーザの環境条件とを合わせて分析して、太陽光発電装置の最適な設置位置及び設置による効果をシミュレーションするための構成要素である。
【０１０５】
シミュレータ１００の通信部１３５は、ドローン５００及びユーザデバイス６００と無線通信を介してデータを送受信することができる。通信部１３５は、ドローン５００からドローン５００の映像を受信することができる。また、通信部１３５は、ドローン５００から、センシング部によりセンシングされた結果を受信することもできる。通信部１３５は、ユーザデバイス６００から、電気料金、時間別電力使用量、ライフスタイル、電力会社の情報などのユーザ環境条件を受信することができる。
【０１０６】
映像分析部１４０は、ドローン５００から受信されたドローン５００映像及びセンシング結果に基づいて、ドローン５００映像を分析することができる。具体的には、映像分析部１４０は、ドローン５００映像を用いて、太陽光発電装置を設置しようとする建物の形状／高さ、前記建物の周りの建物の外観（形状、高さ等）、太陽による影の変化などを分析し、受信したセンシング結果に基づいて、時間経過に伴う日照量の変化、陰影の変化などを分析することができる。
【０１０７】
地理的環境データベース１４５は、太陽光発電装置を設置しようとする地域及びその周辺地域の地理的環境条件を格納することができる。地理的環境データベース１４５は、ユーザデバイス６００から受信された情報および／または外部機関（例えば、気象庁、電力供給会社等）から受信された情報に基づいて構築及び更新することができる。地理的環境データベース１４５に格納される情報、降水量情報、日照量情報、微細粉塵情報、日照時間情報、気温情報、気候情報及び風量情報のうち少なくとも一つを含み得る。
【０１０８】
ユーザ環境データベース１５０は、太陽光発電装置を設置しようとするユーザの環境条件を格納することができる。ユーザ環境データベース１５０は、ユーザデバイス６００から受信された情報および／または外部機関（例えば、電力供給会社、暖房供給会社等）から受信された情報に基づいて構築及び更新することができる。ユーザ環境データベース１５０に格納される情報、これまでの電気料金、時間別電力使用量、ライフスタイル、電力会社の情報のうち少なくとも一つを含み得る。
【０１０９】
地理的環境データベース１４５及びユーザ環境データベース１５０のうちの少なくとも一方は、実施形態により備えられなくてもよい。
【０１１０】
シミュレーション部１５５は、映像分析部１４０による分析結果と、地理的環境データベース１４５及びユーザ環境データベース１５０に格納された情報とに基づいて、太陽光発電装置を設置しようとする建物の最適な設置位置、最適な設置面積、設置費用及び設置効果をシミュレーションすることができる。
【０１１１】
一例として、シミュレーション部１５５は、地理的環境データベース１４５及びユーザ環境データベース１５０に格納された情報に基づいて、所望の太陽光発電量を計算し、映像分析部１４０による分析結果に基づいて。前記計算された太陽光発電量を取得するために必要な太陽光発電装置の設置面積及び設置位置を把握し、太陽光発電装置のメーカ別の太陽光発電装置の設置費用及び設置に伴う収入を計算することができる。
【０１１２】
他の一例として、シミュレーション部１５５は、映像分析部１４０による分析結果に基づいて、太陽光発電装置の設置可能面積及び位置を把握し、把握された設置面積及び設置位置において、地理的環境データベース１４５及びユーザ環境データベース１５０に格納された情報に基づいて、所望の太陽光発電量の生産が可能かどうかを計算し、それに伴う太陽光発電装置のメーカ別の太陽光発電装置の設置費用及び設置に伴う収入を計算することができる。
【０１１３】
シミュレーション部１５５は、ユーザが希望する太陽光発電装置のメーカまたは利用率が最も高い太陽光発電装置のメーカを優先的に選択して設置費用を計算することもできる。
【０１１４】
太陽光営業支援部１６０は、関連した太陽光発電装置の設置／運営／販売者とユーザとの仲介を支援することができる。
【０１１５】
シミュレータ１００は、通信部１３５を介して、シミュレーション結果をユーザデバイス６００の通信部６１０に送信することができる。
【０１１６】
ユーザは、ユーザデバイス６００のディスプレイ部６２０を介してシミュレーション結果を確認することができる。実施形態により、シミュレータ１００の管理者は、ドローン５００を用いた太陽光発電装置シミュレーションアプリケーションを制作及び運営し、ユーザは、ユーザデバイス６００に設置されたアプリケーションを介して前記シミュレーション結果を確認することができる。
【０１１７】
図７では、ドローン５００とシミュレータ１００とが別個の構成要素として示されているが、実施形態により、ハイスペックのドローン５００の場合、映像分析部１４０、地理的環境データベース１４５、ユーザ環境データベース１５０及びシミュレーション部１５５のうち少なくとも１つがドローン５００内に直接具現されてもよい。シミュレーション部１５５がドローン５００内に具現される場合、ユーザは、ドローン５００に備えられたディスプレイ部（図示せず）を介して、シミュレーションの結果を確認したり、ドローン５００からユーザデバイス６００に送信されるシミュレーション結果を確認したりできる。
【０１１８】
また、実施形態により、映像分析部１４０、地理的環境データベース１４５、ユーザ環境データベース１５０及びシミュレーション部１５５のうち少なくとも１つは、ユーザデバイス６００内に直接具現されてもよい。この場合、ユーザデバイス６００は、ドローン５００からドローン５００映像をも直接受信することができる。
【０１１９】
図８を参照すると、シミュレータ１００のシミュレーション部１５５により導出されたシミュレーションの結果が表示されている。シミュレーションの結果は、ユーザデバイス６００のディスプレイ部により表示されてもよいし、ドローン５００に備えられたディスプレイ部（図示せず）により表示されてもよい。
【０１２０】
本実施形態では、ユーザデバイス６００に設置された太陽光発電装置シミュレーションアプリケーションの実行画面２００にシミュレーション結果が表示される場合を例として説明する。太陽光発電装置シミュレーションアプリケーションの実行画面２００は、太陽光発電装置を設置しようとする建物２１０に対応する衛星写真または３Ｄ衛星写真にシミュレーション結果２２０を表示することができる。シミュレーションの結果には、建物の屋上における太陽光発電装置の最適な設置位置２２０、設置面積／数、設置費用２３２、予想収入２３３などが含まれる。
【０１２１】
ユーザは、太陽光発電装置シミュレーションアプリケーションの実行画面に表示されるシミュレーションの結果により、太陽光発電装置の設置位置及び設置による効果を事前に確認することができる。
【０１２２】
また、図８を参照すると、当該建物２１０の屋上には、室外機、パイプ、水タンクなどの妨害要素があり、シミュレータ１００は、建物の屋上の面積を認識し、妨害要素を認識してシミュレーションを行ったその後、設置面積、設置費用、予想収入を算出する。
【０１２３】
図９を参照すると、太陽光発電装置シミュレーションアプリケーションの実行画面３００にシミュレーション結果が表示される。太陽光発電装置シミュレーションアプリケーションの実行画面３００は、太陽光発電装置の設置に適した設置候補の位置３２０を優先順位に応じて表示することができる。ここで、優先順位は、ユーザにより入力された嗜好度（例えば、設置費用の最小化を希望するユーザと予想収入の最大化を希望するユーザなど）に基づいて決定されてもよい。ユーザは、３つの設置候補の位置のうちいずれか１つを選択して、図８に示すような設置面積／数、設置費用、予想収入などの情報を確認することができる。
【０１２４】
図１０を参照すると、太陽光発電装置シミュレーションアプリケーションの実行画面４００にシミュレーション結果が表示される。太陽光発電装置シミュレーションアプリケーションの実行画面は、太陽光発電装置が設置された建物の屋上４１０にシミュレーション結果が最も良い最適な設置位置として算出された位置４２０に対応する太陽光発電装置のアイコンおよび太陽光発電装置の設置による詳細情報４３０を含み得る。ただし、場合によっては、ユーザ個人の事情に応じて、シミュレーションの結果に修正を加えて太陽光発電装置を設置しようとする場合も十分に考えられる。したがって、本実施形態によれば、ユーザは、建物における太陽光発電装置のアイコンの位置を移動したり、太陽光発電装置のアイコンの大きさ（すなわり、実際の設置面積に対応）を変更したりできる。ユーザがアイコンをタッチして位置を移動すると、当該位置に対応して詳細情報を変更（再計算）して表示することもでき、ユーザがアイコンをマルチタッチして大きさを変更すると、変更された大きさに対応して詳細情報を変更して表示することもできる。
【０１２５】
上述した本発明の実施形態によれば、ユーザが太陽光発電装置を実際の建物に設置したようなシミュレーション結果を提供することにより、ユーザをして最適な設置位置及び設置による効果を体験せしめることができるという効果がある。
【０１２６】
図１１は、本発明の一実施形態による太陽光発電装置のシミュレータ１００の構成を示す図であり、図１２は、本発明の一実施形態による屋根の外観を示した図であり、図１３は、本発明の一実施形態による建物の外観を示す図であり、図１４は、本発明の一実施形態により太陽光パネルが取り付けられたプレビュー映像を示す図である。
【０１２７】
図１１〜図１４を参照すると、本発明の太陽光発電装置のシミュレータ１００は、入力部１１０、表示部１６５、発電設備情報格納部１７５、衛星写真情報格納部１８０、通信部１３５及び制御部１７０を含んで構成される。
【０１２８】
図１及び図７には、シミュレーションシステムのブロック図を示し、図１１には、シミュレータのブロック図を示すが、これは、実施形態の説明のために分類したものに過ぎず、本発明の実施形態により混合することができる。
【０１２９】
入力部１１０は、情報を入力するための構成要素である。入力部１１０は、キーボード、キーパッド、タッチパッド、タッチスクリーンなどの入力装置を含む。入力部１１０は、入力された情報に基づく信号を制御部１７０に伝達する。
【０１３０】
表示部１６５は、情報を表示するための構成要素である。表示部１６５は、情報を視覚的に表示するための画面を含む。表示部１６５は、制御部１７０の制御に基づいて各種情報を表示してユーザが確認できるようにする。
【０１３１】
発電設備情報格納部１７５は、太陽光パネル４を利用した発電設備に関する各種情報を格納するストレージである。発電設備情報格納部１７５は、太陽光パネル４の大きさ、発電容量、価格、付属設備の大きさ及び価格、太陽光発電設備の設置用役費などの太陽光発電設備に含まれる構成、設置必要面積、設置費用、発電容量と関連した各種情報を格納し、そのためのメモリを含む。発電設備情報格納部１７５に格納される各種情報は、制御部１７０が通信部１３５を介して外部の装置から受信して格納するものであり得る。
【０１３２】
衛星写真情報格納部１８０は、衛星により撮影された写真情報を格納するストレージである。衛星写真情報格納部（１８０）は、緯度及び経度や住所で特定される各位置の衛星写真を格納し、特定の位置を拡大した衛星写真をさらに格納することができ、そのためのメモリを含む。衛星写真情報格納部１８０に格納される衛星写真は、制御部１７０が通信部１３５を介して外部の装置から受信して格納するものであり得る。
【０１３３】
通信部１３５は、情報を送受信するための構成要素である。通信部１３５は、通信網を介してデータを送受信するための各種通信インタフェースを備える。
【０１３４】
制御部１７０は、入力部１１０、表示部１６５、発電設備情報格納部１７５、衛星写真情報格納部１８０及び通信部１３５を含む太陽光発電装置のシミュレータ１００の全体的な動作を制御する役割をし、そのための演算ユニット、メモリ、プログラムストレージなどを含む。
【０１３５】
まず、制御部１７０は、太陽光発電設備の設置を希望するユーザから、入力部１１０を介して設置場所に関する情報を入力される。このとき、制御部１７０は、入力部１１０を介して、太陽光発電設備を設置しようとする建物３が位置した住所を入力され得、テキスト形式の位置情報、または音声形式の位置情報を入力され得る。万が一、入力部１１０を介して音声形式の位置情報が入力されると、制御部１７０は、音声認識を利用して位置を示すテキストに変換することができる。
【０１３６】
また、制御部１７０は、衛星写真情報格納部１８０に格納されている衛星写真情報のうちから、入力部１１０を介して入力された位置情報に対応する建物３の衛星写真を確認する。このとき、衛星写真情報格納部１８０に格納されている衛星写真は、制御部１７０の制御により事前に格納された情報であり得る。一方、制御部１７０は、入力部１１０を介して入力された位置情報に基づいて、通信部１３５を介して、衛星写真を提供する外部の装置に、当該位置情報に対応する建物３の衛星写真をリクエストして受信こともできる。この場合、衛星写真を提供する装置は、太陽光発電装置のシミュレータ１００の運用者が保有する装置であってもよいし、無料または契約により衛星写真を提供するサービス事業者の装置であってもよい。
【０１３７】
入力部１１０を介して入力された位置情報に対応する建物３の衛星写真を確認した制御部１７０は、当該建物３の衛星写真上の、太陽光パネル４の設置可能位置の境界を確定し、確定された境界で区切られた設置面の面積を計算する。
【０１３８】
このとき、制御部１７０は、入力部１１０を介して入力された位置情報に対応する建物３の衛星写真上の箇所２を指定し、指定された箇所２に対応する画素の位置を基準として、指定された箇所２に対応する画素の画素値と比較して一定範囲内の画素値を有する画素までの領域を拡大して、境界を検出することができる。
【０１３９】
これに関連して、図１２を参照すると、入力部１１０を介して入力された位置情報に対応する建物３の屋根１が示されており、制御部１７０は、当該位置情報に対応する箇所２を指定する。そして、制御部１７０は、指定された箇所２に対応する画素の位置を基準として隣接する画素に向かって領域を徐々に拡大しながら、指定された箇所２による画素の画素値と一定範囲内の画素値を有するか否かを確認する。万が一、指定された箇所２による画素の画素値と一定の範囲内の類似の画素値を有するならば、当該画素を、屋根１に対応する画素であると判断し、再び隣接する他の画素の画素値を比較するプロセスを繰り返して行い領域を拡張する。これに対し、指定された箇所２による画素の画素値と一定の範囲を超える画素値の差がある場合ならば、当該画素を、屋根１以外の部分に対応する画素であると判断し、これまでの屋根１に該当するものと判断された画素の外郭境界を基準として屋根１の境界を検出することができる。
【０１４０】
一方、建物３の衛星写真は２次元の平面形状であるため、制御部１７０は、建物３の衛星写真と建物３を撮影したロードビュー映像とを合成して、当該建物３の立体的形状を確認し、太陽光パネル４の設置可能位置の面積を計算することもできる。このとき、ロードビュー映像は、制御部１７０が内部のストレージに格納している情報であってもよいし、制御部１７０が必要に応じて通信部１３５を介して外部の装置にリクエストして受信した情報であってもよい。
【０１４１】
これに関連して、図１３は、建物３を撮影したロードビュー映像の様子を示しており、制御部１７０は、図１２に示すような建物３の屋根１のみが見える衛星写真から抽出した特徴点と、図１３に示すような建物３のロードビュー映像から抽出した特徴点とをマッチングして、建物３の衛星写真と建物３のロードビュー映像との座標変換行列を演算することができる。そして、制御部１７０は、当該座標変換行列を用いて建物３の衛星写真と建物３のロードビュー映像とを３次元の立体形状に合成することにより、太陽光パネル４が取り付けられる屋根１の立体的な形状を把握し、太陽光パネル４の設置可能位置の面積を計算することができる。
【０１４２】
その後、制御部１７０は、計算された面積に基づいて、発電設備情報格納部１７５に格納されている太陽光パネル４の設置に必要な面積を参照して、建物３に設置可能な太陽光パネル４の数を計算する。
【０１４３】
また、制御部１７０は、建物３に設置可能な太陽光パネル４の数による、太陽光発電設備の設置費用と、太陽光発電を利用して生産可能な電気の発電量とに関する情報を、表示部１６５の画面に視覚的に表示することにより、ユーザが確認できるようにする。
【０１４４】
このとき、制御部１７０は、図１４に示すように、建物３に太陽光パネル４が設置された様子をプレビュー形式で表示部１６５の画面に表示することができ、ユーザは、太陽光パネル４の設置後の様子を直感的に理解することができる。
【０１４５】
一方、建物３の衛星写真や建物３のロードビュー映像に陰影部分が存在する場合、その陰影の部分に対応する発電量を差し引いて発電量を計算するため、実際の発電量に近い結果を提供することができる。この場合、制御部１７０は、太陽光パネル４の設置可能位置の境界内において、他の画素よりも相対的に暗い色に対応する画素値を有する部分を陰影部分として判断することができる。建物３の衛星写真と建物３を撮影したロードビュー映像とを合成して立体的な形状を確認した場合、両映像において太陽光パネル４の設置可能位置として判断された部分のうち、同一の箇所の画素値に一定値以上の差がある場合、陰影部分として判断することもできる。
【０１４６】
さらに、制御部１７０は、建物３の位置情報に対応する電力取引所の取引費用を参照して、太陽光発電による予想売上高を計算して表示部１６５の画面に表示することができる。この場合、制御部１７０は、建物３の位置情報を利用して、通信部１３５を介して、外部の装置に電力取引所の取引費用と関連した費用をリクエストして受信することができ、太陽光パネル４の発電容量による総発電量から自家消費量を除いた余剰発電量を算出した後、電力取引所の取引費用を反映して予想売上高を計算することができる。
余剰電力量
【０１４７】
以下、図１５を参照して、本発明により太陽光発電設備の設置に関連したシミュレーションを行う過程について詳細に説明する。
【０１４８】
図１５は、本発明の実施形態による太陽光発電シミュレーション方法の過程を示す図である。
【０１４９】
図１５を参照すると、太陽光発電装置のシミュレータ１００は、入力装置を介して、太陽光パネルを設置する建物の位置情報を入力され、入力された位置情報に対応する建物の衛星写真を確認する（Ｓ１）。
【０１５０】
ステップ（Ｓ１）において、太陽光発電装置のシミュレータ１００は、内部のストレージから、入力された位置情報に対応する建物の衛星写真を照会して確認することができ、通信網を介して、外部の装置に、当該位置の情報に対応する衛星写真をリクエストして受信することもできる。
【０１５１】
また、太陽光発電装置のシミュレータ１００は、建物の衛星写真における、太陽光パネルの設置可能位置の境界を確定し（Ｓ２）、確定された境界に基づいて区分される面積を計算する（Ｓ３）。
【０１５２】
ステップ（Ｓ２）において、太陽光発電装置のシミュレータ１００は、ステップ（Ｓ１）で入力された位置情報に対応する建物の衛星写真上の箇所を指定し、指定された箇所に対応する画素の位置を基準として、指定された箇所に対応する画素の画素値と比較して一定範囲内の画素値を有する画素までの領域を拡大して、境界を検出することができる。
【０１５３】
また、ステップ（Ｓ２）の太陽光発電装置のシミュレータ１００は、建物の衛星写真と当該建物を撮影したロードビュー映像とを合成して、当該建物の立体的な形状を確認することにより、太陽光パネルの設置可能位置の境界を確定することができる。このとき、太陽光発電装置のシミュレータ１００は、建物の衛星写真から抽出した特徴点と、当該建物のロードビュー映像から抽出した特徴点とをマッチングして、当該建物の衛星写真と当該建物のロードビュー映像との座標変換行列を演算することにより、建物の衛星写真と建物のロードビュー映像とを合成することが可能である。この場合、ステップ（Ｓ３）の太陽光発電装置のシミュレータ１００は、確認された立体的な形状による境界内部の面積に基づいて、太陽光パネルの設置可能位置の面積を計算することができる。
【０１５４】
また、太陽光発電装置のシミュレータ１００は、ステップ（Ｓ３）で計算した面積に基づいて、太陽光パネルの設置に必要な面積に関する情報を参照して、建物に設置可能な太陽光パネルの数を計算する（Ｓ４）。
【０１５５】
ステップ（Ｓ４）において、太陽光発電装置のシミュレータ１００は、建物に太陽光パネルが設置された様子をプレビュー形式で画面に表示することにより、ユーザが直感的に設置形態を理解できるように支援することができる。
【０１５６】
また、太陽光発電装置のシミュレータ１００は、ステップ（Ｓ４）で計算した太陽光パネルの数に対応する設置費用及び発電量についての情報を画面に視覚的に表示することにより、ユーザが確認できるようにする（Ｓ５）。
【０１５７】
ステップ（Ｓ５）において、太陽光発電装置のシミュレータ１００は、ステップ（Ｓ１）で入力された建物の位置に対応する日射量と太陽光パネルへの照射角度とを参照して、太陽光パネルの設置可能面積に対応する発電量を計算することができる。
【０１５８】
また、ステップ（Ｓ５）において、太陽光発電装置のシミュレータ１００は、建物の衛星写真や建物のロードビュー映像に陰影部分が存在する場合、当該陰影部分に対応する発電量を差し引いて発電量を計算することができる。
【０１５９】
さらに、ステップ（Ｓ５）において、太陽光発電装置のシミュレータ１００は、建物の位置情報に対応する電力取引所の取引費用を参照して予想売上高を計算し、計算された予算の売上高を画面に表示することにより、ユーザが確認できるようにする。
【０１６０】
本発明の実施形態による太陽光発電シミュレーション方法は、様々なコンピュータ手段を介して読み取り可能なプログラム形態に具現されて、コンピュータで読み取り可能な記録媒体に記録され得る。
【０１６１】
一方、本明細書及び図面に開示された本発明の実施形態は、本発明の理解を助けるために特定例を提示したものに過ぎず、本発明の範囲を限定するものではない。ここに開示した実施形態の他にも、本発明の技術的思想に基づいた他の変形形態が実施可能であるということは、本発明が属する技術分野における通常の知識を有する者に自明なものである。また、本明細書及び図面で特定の用語が使用されているが、これはただ本発明の記述内容を容易に説明して発明の理解を助けるための一般的な意味で使用されたものであるに過ぎず、本発明の範囲を限定しようとするものではない。
【符号の説明】
【０１６２】
１０    シミュレーションシステム
１００  シミュレータ
１１０  入力部
１１５  収集部
１２０  判断部
１２５  算出部
１３０  屋根データモジュール
１３５  通信部
１４０  映像分析部
１４５  地理的環境データベース
１５０  ユーザ環境データベース
１５５  シミュレーション部
１６０  太陽光営業支援部
１６５  表示部
１７０  制御部
１７５  発電設備情報格納部
１８０  衛星写真情報格納部
５００  ドローン
６００  ユーザデバイス
【図１】
2021512399.tif 000003
【図２】
2021512399.tif 000004
【図３】
2021512399.tif 000005
【図４】
2021512399.tif 000006
【図５】
2021512399.tif 000007
【図６】
2021512399.tif 000008
【図７】
2021512399.tif 000009
【図８】
2021512399.tif 000010
【図９】
2021512399.tif 000011
【図１０】
2021512399.tif 000012
【図１１】
2021512399.tif 000013
【図１２】
2021512399.tif 000014
【図１３】
2021512399.tif 000015
【図１４】
2021512399.tif 000016
【図１５】
2021512399.tif 000017
【国際調査報告】
2021512399.tif 000018
2021512399.tif 000019
2021512399.tif 000020
2021512399.tif 000021